(57)【特許請求の範囲】
【請求項１】
被切断材をセット可能なベースに、前記ベース上方を前後方向へ所定のストロークでスライド可能なスライド体を設け、そのスライド体に、回転刃を有する本体を上下動可能に軸着して、前記本体の下限位置を規制する下限ストッパ機構を、下限規制モードと下限規制解除モードとに切替可能に設けてなるスライド型切断機であって、
前記本体の後方へのスライドを最後方位置よりも手前で規制するスライド規制モードと、そのスライド規制を解除するスライド規制解除モードとに切替可能なスライド規制機構を設けると共に、前記下限ストッパ機構を、前記スライド規制機構のスライド規制モードでは下限規制解除モードに、スライド規制解除モードでは下限規制モードとなるように前記スライド規制機構の切替動作と連動させたことを特徴とするスライド型切断機。
【請求項２】
スライド体が、ベースに立設されたアームの上端でスライド可能に保持されるバー部材で、そのバー部材の前端部に本体が軸着されるものにあっては、下限ストッパ機構を、前記本体に設けられた下限規制ボルトと、前記前端部に設けられ、前記本体と共に下降する前記下限規制ボルトとの当接位置と非当接位置との間を回転可能な規制板とからなるものとする一方、スライド規制機構を、前記アームの上端と前端部との間に介在して前記本体の後方へのスライドを規制するスライド規制位置と、前記アームの上端と前端部との間から離れて前記スライドの規制を解除するスライド規制解除位置との間を回転可能なストッパ部材として、そのストッパ部材を前記規制板に連結し、前記ストッパ部材の前記スライド規制位置では前記規制板を前記非当接位置へ、前記スライド規制解除位置では前記規制板を前記当接位置へ夫々回転させるようにしたことを特徴とする請求項１に記載のスライド型切断機。
【発明の詳細な説明】
【技術分野】
【０００１】
本発明は、被切断材をセット可能なベースの上方に、回転刃を有する本体を、上下動可能且つ前後方向へ所定のストロークでスライド可能に設けたスライドマルノコ等のスライド型切断機に関する。
【背景技術】
【０００２】
スライド型切断機としては、特許文献１に開示の丸鋸盤の如く、被切断材をセット可能なベースの後方に、スライドバーを前後へスライド可能に設け、スライドバーの後端に設けたアームの上端に、モータで駆動する回転刃を備えた本体を上下動自在に軸着させたものが知られている。この丸鋸盤では、ベース上に載置した被切断材に対して本体を下降させることで、回転刃による切断が可能となり、前後に長い被切断材に対しては、手前側にスライドさせた本体を下降させて被切断材に切り込んだ後、後方へ本体を押すようにスライドさせることでスライド切断が可能となる。
また、このようなスライド型切断機では、本体の下限位置を規制するための下限ストッパ機構が設けられている。特許文献１に設けられた下限ストッパ機構は、本体の側面に取り付けられた下限規制ボルト及び固定ボルトと、アーム先端の台座部に水平回転可能に支持された下限切換部材とを有し、本体の下降に伴って下限規制ボルトが下限切換部材に当接して本体の下限位置が規制されるもので、下限規制ボルトの突出量を調整することで、規制される下限位置が変更可能となっている。なお、ここでの下限切換部材は、本体の下降に伴って下限規制ボルトが当接する下限規制位置（下限規制モード）と、下限規制ボルトが当接しない下限規制解除位置（下限規制解除モード）との間を切替操作可能となっている。
【０００３】
【特許文献１】特開平１１−３４００２号公報
【特許文献２】実開平４−９０５０１号公報
【発明の開示】
【発明が解決しようとする課題】
【０００４】
このようなスライド型切断機では、前後の厚みが薄くて高さ寸法が大きい被切断材を切断する際、ベース上に左右方向へ架設されたガイドフェンスに被切断材を立て掛けてセットし、本体を最後方位置から下降させて切断が行われる。しかし、モータやギヤ等が本体の側面で略中央に設けられていると、本体を下降させた際にモータやギヤ等が被切断材と干渉して本体の下降が阻害され、切断できる被切断材の高さ（切断能力）に制限を受けてしまう。この対策として、例えば特許文献２に開示のようにガイドフェンスと被切断材との間に当て木を設けて被切断材の位置を変えれば切断可能となるが、当て木を用意していちいちセットするのが面倒で使い勝手が悪くなる。
【０００５】
そこで、本発明は、当て木を用いなくても高さ寸法が大きい被切断材が支障なく切断可能となり、高い切断能力が確保できて使い勝手に優れるスライド型切断機を提供することを目的としたものである。
【課題を解決するための手段】
【０００６】
上記目的を達成するために、請求項１に記載の発明は、本体の後方へのスライドを最後方位置よりも手前で規制するスライド規制モードと、そのスライド規制を解除するスライド規制解除モードとに切替可能なスライド規制機構を設けると共に、下限ストッパ機構を、スライド規制機構のスライド規制モードでは下限規制解除モードに、スライド規制解除モードでは下限規制モードとなるようにスライド規制機構の切替動作と連動させたことを特徴とするものである。
請求項２に記載の発明は、請求項１の目的に加えて、スライド体が、ベースに立設されたアームの上端でスライド可能に保持されるバー部材で、そのバー部材の前端部に本体が軸着されるものにあって、スライド規制機構を簡単に構成するために、下限ストッパ機構を、本体に設けられた下限規制ボルトと、前端部に設けられ、本体と共に下降する下限規制ボルトとの当接位置と非当接位置との間を回転可能な規制板とからなるものとする一方、スライド規制機構を、アームの上端と前端部との間に介在して本体の後方へのスライドを規制するスライド規制位置と、アームの上端と前端部との間から離れてスライドの規制を解除するスライド規制解除位置との間を回転可能なストッパ部材として、そのストッパ部材を規制板に連結し、ストッパ部材のスライド規制位置では規制板を非当接位置へ、スライド規制解除位置では規制板を当接位置へ夫々回転させるようにしたことを特徴とするものである。
【発明の効果】
【０００７】
請求項１に記載の発明によれば、本体の後方へのスライドが規制される際には回転刃による切込量が大きくなるようにスライド規制機構と下限ストッパ機構とを連動させたことにより、モータやギヤ等との干渉が生じにくい回転刃の切断領域を使用して切断可能となる。よって、当て木を用いなくても高さ寸法が大きい被切断材が支障なく切断可能となり、高い切断能力が確保できて使い勝手に優れる。
請求項２に記載の発明によれば、請求項１の効果に加えて、下限ストッパ機構の規制板と連結されるストッパ部材の採用により、スライド規制機構が簡単に構成でき、下限ストッパ機構の連動も合理的に行われる。
【発明を実施するための最良の形態】
【０００８】
以下、本発明の実施の形態を図面に基づいて説明する。
図１は、スライド型切断機の一例であるスライドマルノコの平面図、図２は側面図で、スライドマルノコ１は、ベース２上に円形のターンテーブル３を略中央で水平回転可能に載置し、そのターンテーブル３の後方（図１，２の左側）にアーム４を連結して、アーム４の上端に設けた保持部５に、バー部材となる２本の平行なスライドバー６，６を前後方向へスライド可能に保持させている。７はスライドバー６，６の後端同士を連結する後端部、８は前端同士を連結する前端部で、後端部７と前端部８とが保持部５に当接するストロークでスライドバー６，６は前後へスライド可能となっている。
【０００９】
また、前端部８には、左右一対のブラケット９，９が形成され、そのブラケット９，９の間に、本体１０の基端部１１が支軸１２によって上下方向へ回転可能に軸着されている。この本体１０は、モータ１３によって回転駆動する回転刃としての円盤状の鋸刃１４を前後方向に向けて備えており、基端部１１に設けられた図示しないトーションバネによって常態では上限位置に付勢されている。１５は鋸刃１４の安全カバー、１６はハンドルである。なお、アーム４は、ターンテーブル３に対して片側へ任意の角度傾動可能に連結されている。
さらに、ベース２上の左右には、ターンテーブル３上を非接触で左右に横切るガイドフェンス１７が、ボルト１８，１８・・によって固定されている。このガイドフェンス１７は、前面がターンテーブル３の上面と直角なガイド面を有し、被切断材の位置決めとして使用される。
【００１０】
そして、本体１０の右側面と当該側のブラケット９との間には、下限ストッパ機構１９が設けられている。この下限ストッパ機構１９は、本体１０の側面に突設された支持台２０に螺合された下限規制ボルト２１及び固定ボルト２２と、ブラケット９の上面へネジ２３によって連結された規制板２４とからなり、本体１０の下降に伴って下限規制ボルト２１が規制板２４の上面に当接することで、本体１０の下降が規制されるようになっている。よって、下限規制ボルト２１を回転させて支持台２０からの突出量を調整することで、本体１０の下限位置が変更可能となる。
【００１１】
一方、規制板２４は、ネジ２３を中心にして、本体１０の下降に伴って下限規制ボルト２１が当接するブラケット９上の当接位置と、その当接位置の外側へ退避して下限規制ボルト２１が当接しない非当接位置との間を水平回転可能となっており、この規制板２４の回転位置の選択により、当接位置で本体１０の下限位置を規制する下限規制モードと、非当接位置で本体１０の下限位置の規制を解除する下限規制解除モードとに夫々切替可能となっている。但し、規制板２４が外側へ退避する下限規制解除モードでも、ネジ２３寄りに位置する固定ボルト２２は依然として規制板２４に当接可能となっているため、固定ボルト２２によって本体１０の最下限規制は確保されることになる。
【００１２】
また、規制板２４には、スライド規制機構のストッパ部材となるスライドストッパ２５が連結されている。このスライドストッパ２５は、規制板２４の外側縁から側面視で後方へ倒Ｌ字状に後方へ伸び、後端には内側へ直角に折曲するストッパ片２６が水平に突設される棒状体で、規制板２４を介してネジ２３を中心に、ストッパ片２６がアーム４の保持部５と前端部８との間でスライドバー６の側面に当接するスライド規制位置と、ストッパ片２６が保持部５と前端部８との間から離れるスライド規制解除位置との間を水平回転可能となっている。
よって、このスライドストッパ２５は、規制板２４とは互いに水平回転方向で連動することになる。すなわち、スライドストッパ２５がスライド規制位置に回転されると、規制板２４は、下限規制ボルト２１との非当接位置に回転して下限規制解除モードとなり、スライドストッパ２５がスライド規制解除位置に回転されると、規制板２４は、下限規制ボルト２１との当接位置に回転してスライド規制モードに切り替わるものである。
【００１３】
以上の如く構成されたスライドマルノコ１は、ハンドル１６に設けたスイッチ２７をＯＮ操作してモータ１３を駆動させ、鋸刃１４を回転させた状態で、ハンドル１６を把持して本体１０を下降させると、ターンテーブル３上に載置された被切断材をガイドフェンス１７に対して直角に切断することができる。また、ターンテーブル３を回転させると水平方向で鋸刃１４の角度が変更する角度切りが、アーム４を傾動させると垂直方向で鋸刃１４の角度が変更する傾斜切断が夫々可能となる。さらに、図１，２のように前方位置で被切断材に切り込んだ本体１０を後方へ押すように操作すると、スライドバー６，６と共に本体１０が後退するため、スライド切断が可能となる。
【００１４】
ここで、通常のサイズの被切断材、すなわち、図３，４に示すように本体１０の下降時にモータ１３の真下付近に形成される鋸刃１４の切断可能領域Ｓ１よりも高さ寸法が小さい被切断材Ｗ１を切断する際には、下限ストッパ機構１９において、規制板２４を下限規制ボルト２１との当接位置へ回転させる下限規制モードとする一方、下限規制ボルト２１の支持台２０からの突出量を変更すれば、本体１０の任意の下限位置を設定することができる。このとき、スライドストッパ２５はスライド規制解除位置となるので、スライド切断の際には前端部８が保持部５に当接する最後方位置まで本体１０をスライドさせることができる（スライド規制解除モード）。
よって、図４に示すように前後の厚みが小さい被切断材Ｗ１でも、切断可能領域Ｓ１内に収まってモータ１３と干渉しないものであれば、本体１０の最後方位置で切断可能である。
【００１５】
一方、鋸刃１４の切断可能領域Ｓ１よりも高さ寸法が大きい被切断材Ｗ２を切断する際には、図５，６に示すように、スライドストッパ２５を内側のスライド規制位置まで回転させてストッパ片２６をスライドバー６に当接させる。すると、これに連動して規制板２４は下限規制ボルト２１との非当接位置に回転して下限ストッパ機構１９を下限規制解除モードとする。よって、本体１０を後方へスライドさせた際には、前端部８と保持部５との間にストッパ片２６が介在して、最後方位置よりも距離Ａだけ手前の位置で本体１０の後方へのスライドが規制されるため（スライド規制モード）、被切断材Ｗ２をガイドフェンス１７に押し当てて位置決めした状態では、本体１０の下降時にモータ１３の後方側に形成される鋸刃１４の切断可能領域Ｓ２が使用可能となる。従って、そのまま本体１０を下降させれば、当該切断可能領域Ｓ２内でモータ１３に干渉することなく被切断材Ｗ２を切断することができる。このとき、被切断材Ｗ２への切込量は大きくなるが、下限規制の解除によって本体１０は最下限まで下降可能であるため、切り残しは生じない。
【００１６】
このように、上記形態のスライドマルノコ１によれば、本体１０の後方へのスライドを最後方位置よりも手前で規制するスライド規制モードと、そのスライド規制を解除するスライド規制解除モードとに切替可能なスライド規制機構（スライドストッパ２５）を設けると共に、下限ストッパ機構１９を、スライドストッパ２５のスライド規制モードでは下限規制解除モードに、スライド規制解除モードでは下限規制モードとなるようにスライドストッパ２５の切替動作と連動させたことで、モータ１３との干渉が生じにくい鋸刃１４の切断可能領域Ｓ２を使用して切断可能となる。よって、当て木を用いなくても高さ寸法が大きい被切断材Ｗ２が支障なく切断可能となり、高い切断能力が確保できて使い勝手に優れる。
【００１７】
特にここでは、下限ストッパ機構１９を、本体１０に設けられた下限規制ボルト２１と、前端部８に設けられ、本体１０と共に下降する下限規制ボルト２１との当接位置と非当接位置との間を回転可能な規制板２４とからなるものとする一方、スライド規制機構を、保持部５と前端部８との間に介在して本体１０の後方へのスライドを規制するスライド規制位置と、保持部５と前端部８との間から離れてスライドの規制を解除するスライド規制解除位置との間を回転可能なスライドストッパ２５として、そのスライドストッパ２５を規制板２４に連結し、スライドストッパ２５のスライド規制位置では規制板２４を非当接位置へ、スライド規制解除位置では規制板２４を当接位置へ夫々回転させるようにしたことで、スライド規制機構が簡単に構成でき、下限ストッパ機構１９の連動も合理的に行える。
【００１８】
なお、下限ストッパ機構は上記形態に限らず、例えば下限規制ボルトや固定ボルトを本体の下面等の他の場所に設けてもよいし、規制板もこれに合わせてアーム側に設けたり等適宜変更可能である。
また、スライド規制機構も、アームの保持部と前端部との間に介在させる他、スライドストッパの先端を保持部やアームに設けた凹部や透孔等に係止させてスライド規制する等、他の構造を採用してもよい。さらに、スライドストッパのような単一の部材に限らず、複数のリンク部材等を連結して形成すれば、下限ストッパ機構と離れた場所で連動させることもできる。
その他、スライド体が単一のスライドバーとなるものや、ターンテーブルがないもの、アームが傾動しないタイプ等、上記形態以外のスライドマルノコや切断機においても本発明は適用可能である。
【図面の簡単な説明】
【００１９】
【図１】スライドマルノコの平面図である（本体は最前方位置）。
【図２】スライドマルノコの側面図である（本体は最前方位置）。
【図３】スライドマルノコの平面図である（本体は最後方位置）。
【図４】スライドマルノコの側面図である（本体は最後方位置）。
【図５】スライドマルノコの平面図である（本体は後方へのスライド規制状態）。
【図６】スライドマルノコの側面図である（本体は後方へのスライド規制状態）。
【符号の説明】
【００２０】
１・・スライドマルノコ、２・・ベース、３・・ターンテーブル、４・・アーム、６・・スライドバー、７・・後端部、８・・前端部、９・・ブラケット、１０・・本体、１１・・基端部、１２・・支軸、１３・・モータ、１４・・鋸刃、１７・・ガイドフェンス、１９・・下限ストッパ機構、２０・・支持台、２１・・下限規制ボルト、２２・・固定ボルト、２４・・規制板、２５・・スライドストッパ、２６・・ストッパ片。
【図１】
0004943962.tif 000002
【図２】
0004943962.tif 000003
【図３】
0004943962.tif 000004
【図４】
0004943962.tif 000005
【図５】
0004943962.tif 000006
【図６】
0004943962.tif 000007